(57)【要約】【課題】便座の接合部を汚れが溜まり難くすることにより、衛生的で外観的に見栄えが良く水密性を付加する便座暖房を提供する。【解決手段】使用者が着座する座面を有する断面略アーチ形状の上ケース２１と、便器面に対向する下ケース２２を上下に接合し内部に空洞部２５を形成した便座において、前記上ケース２１と前記下ケース２２の接合部２３の少なくとも一部をシート材３０で隠蔽することにより、便座の接合面に発生する隙間はシート材で覆われるので、見栄えが良く隙間に汚れが溜まらないので衛生的である。さらに空洞部内部への水の侵入を防止できる。【選択図】図２
2006296910.tif 000002
【特許請求の範囲】
【請求項１】
使用者が着座する座面を有する断面略アーチ形状の上ケースと、便器面に対向する下ケースを上下に接合し内部に空洞部を形成した便座において、前記上ケースと前記下ケースの接合部の少なくとも一部をシート材で隠蔽した暖房便座。
【請求項２】
シート材の少なくとも一部は蓄光テープである請求項１に記載の暖房便座。
【請求項３】
シート材の少なくとも一部は熱に反応して変色するサーモテープである請求項１または２に記載の暖房便座。
【発明の詳細な説明】
【技術分野】
【０００１】
本発明は、暖房機能を有する便座に関するものである。
【背景技術】
【０００２】
従来のこの種の暖房便座では、上ケースと底板いずれか一方の内縁部及び外縁部に凸状リブを全周に渡って形成し、他方の内縁部及び外縁部に前記凸状リブと嵌合するスリットを形成するリブを設け、前記スリットを形成する外側のリブに水抜き部を設けたものであった（例えば特許文献１参照）。
【０００３】
図３は、特許文献１に記載された従来の従来の暖房便座に便座の断面図を示すものであり、便座１は上ケース２と底板３で構成されており、上ケース２の内縁部と外縁部には２本のリブ４が設けられており前記２本のリブ４によりスリット５が形成されている。一方底板３の内縁部と外縁部には１本のリブ６が形成されており、スリット５とリブ６を嵌合させると水抜き部７が形成される構成となっている。
【特許文献１】特開２００４−２８３４２８号公報
【発明の開示】
【発明が解決しようとする課題】
【０００４】
しかしながら、上記従来の構成では、上ケースと底板の嵌合状態での接合部分には、水抜きのための隙間が開いており、見栄えが悪く、また隙間に汚れが溜まることにより不衛生であった。さらに内部に暖房用の発熱体などの充電部品を保護するために、接合部に防水パッキンやシリコンシール剤を塗布しては嵌合するなどの水密性の確保が不可欠であった。
【０００５】
本発明は、前記従来の課題を解決するもので、見栄えが良く、衛生的で、単純な構成で便座内部の水密性を保った暖房便座を提供することを目的とする。
【課題を解決するための手段】
【０００６】
前記従来の課題を解決するために、本発明は、使用者が着座する座面を有する断面略アーチ形状の上ケースと、便器面に対向する下ケースを上下に接合し内部に空洞部を形成した便座において、前記上ケースと前記下ケースの接合部の少なくとも一部をシート材で隠蔽したものである。
【０００７】
この構成によって、便座の上ケースと下ケースの接合面に発生する隙間はシート材で覆われるので、見栄えが良く隙間に汚れが溜まらないので衛生的である。さらに空洞部内部への水の侵入を防止できる。
【発明の効果】
【０００８】
本発明の暖房便座は、見栄えが良く、衛生的であり、しかも防水パッキンやシリコンシール剤を塗布することなく空洞内部への水の侵入を防止できる。
【発明を実施するための最良の形態】
【０００９】
第１の発明は、使用者が着座する座面を有する断面略アーチ形状の上ケースと、便器面に対向する下ケースを上下に接合し内部に空洞部を形成した便座において、前記上ケースと前記下ケースの接合部の少なくとも一部をシート材で隠蔽した構成とすることにより、接合部の隙間をシート材で覆い隠すこととなり、見栄えが良く隙間に汚れが溜まらないので衛生的であり、しかも、防水パッキンやシリコンシール剤を塗布することなく空洞内部への水の侵入を防止できるので発熱体などの電気部品の保護ができる。
【００１０】
第２の発明は、特に、第１の発明のシート材の少なくとも一部を蓄光テープとしたことにより、薄暗いトイレ室内においても使用者が便座の外形が認識できるので、就寝途中の夜中に排泄する場合にも照明を点けて眩しい思いをすることがない。
【００１１】
第３の発明は、特に、第１または第２の発明のシート材の少なくとも一部を熱に反応して変色するサーモテープとしたことにより、便座の暖房状態が色の変化によって視覚的に認識できるので、省エネを図る速暖性の良い便座においては温度上昇が目視できるので暖房便座としての使用性向上に極めて有効である。
【００１２】
以下、本発明の実施の形態について、図面を参照しながら説明する。なお、この実施の形態によって本発明が限定されるものではない。
【００１３】
（実施の形態１）
図１は本発明の第１の実施の形態における暖房便座の斜視図であり、図２は暖房便座の要部断面図を示すものである。
【００１４】
図１に示すように、暖房便座はトイレ室内に設置した便器１０に本体１１が取り付けられており、この本体１１に便座２０および便蓋１２が回動自在に設けられている。
【００１５】
図２に示すように、便座２０は、断面略アーチ形状の上ケース２１は厚み１．０ミリのアルミニウムの板材をプレス加工して成形したものであり、上ケース２１の外周縁２１ａおよび内周縁２１ｂの端面はそれぞれ内側に折り曲げて所定の幅の接合面２１ｃ、２１ｄを設けてあり、外周縁２１ａの接合面２１ｃには所定の間隔おいて略長方形の固定穴２１ｅが設けてある。
【００１６】
樹脂製の下ケース２２の外周縁２２ａおよび内周縁２２ｂには上ケース２１の接合面２１ｃ、２１ｄと当接する当接面２２ｃ、２２ｄが形成してあり、外周縁２２ａの当接面２２ｃの内側端部には上記固定穴２１ｅに対応する箇所に固定用の爪２２ｅが設けてあり、内周縁２２ｂの当接面２２ｄの内側端部には位置決めリブ２２ｆが形成してある。
【００１７】
上ケース２１の接合面２１ｃ、２１ｄと下ケース２２の接合面２２ｃ、２２ｄが互いに当接した状態で組み合わさり、固定穴２１ｅに爪２２ｅが嵌合することにより上ケース２１と下ケース２２は固定している。また、上ケース２１の内周縁２１ｂの接合面２１ｄの端部は、下ケース２１の位置決めリブ２２ｆに当接することにより上ケース２１と下ケース２２の内周縁２１ｂ、２２ｂは位置決めされている。
【００１８】
上ケース２１と下ケース２２の外周縁の接合部２３には光エネルギーを蓄えて発光する帯状の蓄光テープ３０が全周に亘り貼着してあり、内周縁の接合部２４には熱に反応して変色する帯状のサーモテープ３１が貼着してあり接合部２３、２４を隠蔽してある。
【００１９】
上ケース２１と、下ケース２２とにより形成した空洞部２５には便座を温める発熱体としてランプヒーター３２が組み込まれており、ランプヒーター３２は本体１１内に設置した制御部（図示せず）により通電を制御できる構成となっている。
【００２０】
以上のように構成された暖房便座について、以下その動作、作用を説明する。
【００２１】
ランプヒーター３２を組み込んだ下ケース２２に上ケース２１を重ね合わせ、固定穴２１ｅに爪２２ｅを嵌合することにより上ケース２１と下ケース２２は固定し、外周縁の接合部２３には全周に亘り光エネルギーを蓄えて発光する帯状の蓄光テープ３０を貼り付け、内周縁の接合部２４には全周に亘り熱に反応して変色する帯状のサーモテープ３１を貼り付けることにより、接合部２３、２４の隙間は全周に亘りテープで隠されるので、見栄えが良く、また接合部の隙間に汚れが溜まることがないので衛生的であり、しかも隙間から水が浸入することがないので、防水パッキンやシール剤を用いずに空洞部の水密性を付加できるので、空洞内に設置したランプヒーターなどの電気部品の保護ができる。
【００２２】
さらに、外周縁には蓄光テープを貼り付けたことにより、薄暗いトイレ室内においても使用者が便座の外形が認識できるので、就寝途中の夜中に排泄する場合にも照明を点けて眩しい思いをすることがない。
【００２３】
また、内周縁にはサーモテープを貼り付けたことにより、便座の暖房状態が色の変化によって視覚的に認識できるので、温度上昇が目視できるので暖房便座としての使用性向上に極めて有効である。
【００２４】
なお、本実施の形態の形態においては、外周縁に蓄光テープを、内周縁にサーモテープを組み合わせて使用したが、これに限るものではなく、どちらか１種類のテープを使用してもよく、また、これ以外の種類のテープを使用しても基本的は作用、効果を得ることができる。
【産業上の利用可能性】
【００２５】
以上のように、本発明にかかる暖房便座は、接合部の外観を向上し、防水性能を高めることができるので、他の水回り機器の用途にも適用できる。
【図面の簡単な説明】
【００２６】
【図１】本発明の実施の形態１における暖房便座の外観斜視図
【図２】本発明の実施の形態１における暖房便座の要部断面図
【図３】従来の暖房便座の要部断面図
【符号の説明】
【００２７】
２０  便座
２１  上ケース
２２  下ケース
２５  空洞部
２３、２４  接合部
３０  蓄光テープ（シート材）
３１  サーモテープ（シート材）
【図１】
2006296910.tif 000003
【図２】
2006296910.tif 000004
【図３】
2006296910.tif 000005